(57)【要約】【課題】水の消費量を抑えられる浴槽シャワー装置を提供する。【解決手段】浴槽３内に向けて湯水を噴射するシャワーノズル４として、上水道から供給されて加熱された上水道水を噴射する上水道水噴射ノズル４ａ、４ｂと、浴槽３に形成された排水口部５に通じる再利用水噴射ノズル４ｃを備える。再利用水噴射ノズル４ｃと浴槽３の排水口部５を接続する接続流路７に、該接続流路７の湯水を再利用水噴射ノズル４ｃに供給して噴射するポンプ９と、接続流路７の湯水に含まれる汚れを除去するフィルタ８と、接続流路７の湯水を加熱するヒータ１０とが設けられる。【選択図】図１
2010075419.tif 000002
【特許請求の範囲】
【請求項１】
浴槽内に向けて湯水を噴射するシャワーノズルとして、上水道から供給されて加熱された上水道水を噴射する上水道水噴射ノズルと、浴槽に形成された排水口部に通じる再利用水噴射ノズルを備え、再利用水噴射ノズルと前記浴槽の排水口部を接続する接続流路に、該接続流路の湯水を再利用水噴射ノズルに供給して噴射するポンプと、接続流路の湯水に含まれる汚れを除去するフィルタと、接続流路の湯水を加熱するヒータとが設けられたことを特徴とする浴槽シャワー装置。
【請求項２】
前記再利用水噴射ノズルが浴槽の壁部の下部に設けられると共に前記上水道水噴射ノズルが浴槽の壁部の上部に設けられ、且つ、上水道水噴射ノズルが再利用水噴射ノズルよりも広角の平面視扇状に湯水を噴射するものであることを特徴とする請求項１に記載の浴槽シャワー装置。
【発明の詳細な説明】
【技術分野】
【０００１】
本発明は浴槽内に向けてシャワー水を噴射する浴槽シャワー装置に関する。
【背景技術】
【０００２】
従来、浴槽の内周面から浴槽内に居る人に向けて湯水を噴射する浴槽シャワー装置が知られている（例えば特許文献１）。
【特許文献１】実開昭４９−１２３１３５号公報
【発明の開示】
【発明が解決しようとする課題】
【０００３】
ところで、従来の浴槽シャワー装置は、上水道から給湯器を介してシャワーノズルに供給された上水道水を浴槽内に向けて噴射するものであるが、水の消費量が大きいという問題があった。
【０００４】
本発明は上記従来の問題点に鑑みてなされたものであって、水の消費量を抑えられる浴槽シャワー装置を提供することを課題とする。
【課題を解決するための手段】
【０００５】
上記課題を解決するために、請求項１に係る浴槽シャワー装置は、浴槽３内に向けて湯水を噴射するシャワーノズル４として、上水道から供給されて加熱された上水道水を噴射する上水道水噴射ノズル４ａ、４ｂと、浴槽３に形成された排水口部５に通じる再利用水噴射ノズル４ｃを備え、再利用水噴射ノズル４ｃと前記浴槽３の排水口部５を接続する接続流路７に、該接続流路７の湯水を再利用水噴射ノズル４ｃに供給して噴射するポンプ９と、接続流路７の湯水に含まれる汚れを除去するフィルタ８と、接続流路７の湯水を加熱するヒータ１０とが設けられたことを特徴とする。
【０００６】
また、請求項２は請求項１において、前記再利用水噴射ノズル４ｃが浴槽３の壁部の下部に設けられると共に前記上水道水噴射ノズル４ａが浴槽の壁部の上部に設けられ、且つ、上水道水噴射ノズル４ａが再利用水噴射ノズル４ｃよりも広角の平面視扇状に湯水を噴射するものであることを特徴とする。
【発明の効果】
【０００７】
請求項１では、上水道水噴射ノズルから噴射された湯水を接続流路に供給し、これをフィルタで汚れを除去すると共にヒータで加熱した後、ポンプにて再利用水噴射ノズルから浴槽内に向けて噴射することができ、湯水の使用量を抑えられる。
【０００８】
また請求項２では、請求項１の効果に加えて、上水道水噴射ノズルから噴射された平面視扇状の湯水により浴槽の上部に湯水のカーテンを形成でき、このカーテン効果により、浴槽内の保温効果を高めることができ、また、下方の再利用水噴射ノズルから噴射された水が洗い場側に飛び出すことを防止することができる。
【発明を実施するための最良の形態】
【０００９】
以下、本発明の実施形態の一例を添付図面に基づいて説明する。図１及び図２に示す本例の浴槽シャワー装置１は浴室２に設置された浴槽３に設けられるものである。なお、図２における符号１１は洗い場であり、符号１２は洗い場１１に設けたカウンターであり、符号１３は洗い場１１に設けた排水溝である。
【００１０】
浴槽シャワー装置１は浴槽３内に臨む多数のシャワーノズル４を備え、各シャワーノズル４に湯水を供給することで、各シャワーノズル４から湯水を浴槽３内に向けてシャワー状に噴射できるようになっている。
【００１１】
シャワーノズル４としては、上水道から供給されて図示しない給湯機で加熱された上水道水を噴射する上水道水噴射ノズル４ａ、４ｂと、浴槽３の底部に形成された排水口部５に通じる再利用水噴射ノズル４ｃが設けられ、これらシャワーノズル４ａ〜４ｃは浴槽３内に向けて突出して邪魔にならないように浴槽３の周壁部に埋め込んだ状態で設けられている。
【００１２】
上水道水噴射ノズル４ａ、４ｂは浴槽３の周壁の上部において上下２段に設けられている。このうち、下側に一列に並べて設けた各上水道水噴射ノズル４ｂは、湯水を噴射角の小さい円錐状に噴射する充円錐型スプレーノズルで構成されている。また、上側に一列に並べて設けた各上水道水噴射ノズル４ａは、湯水を扁平で且つ図１に示すように平面視扇状に噴射する扇型スプレーノズルで構成されている。つまり、各上水道水噴射ノズル４ａは各上水道水噴射ノズル４ｂよりも広角の平面視扇状に水を噴射するものである。
【００１３】
再利用水噴射ノズル４ｃは浴槽３の周壁の下部において一列に並べて設けられている。各再利用水噴射ノズル４ｃは、浴槽３の底部において他部よりも一段底の浅くなった浅底部６と略同レベルに位置し、上水道水噴射ノズル４ａ、４ｂよりも下方に位置している。したがって、浴槽３における上段に上水道水噴射ノズル４ａが位置し、中段に上水道水噴射ノズル４ｂが位置し、下段に再利用水噴射ノズル４ｃが位置することとなる。なお、前記排水口部５は浴槽３の底部において浅底部６よりも一段低い深底部１４に設けられている。
【００１４】
各再利用水噴射ノズル４ｃは上水道水噴射ノズル４ｂと同様に湯水を噴射角の小さい円錐状に噴射する充円錐型スプレーノズルで構成されている。つまり、前記各上水道水噴射ノズル４ａは再利用水噴射ノズル４ｃよりも広角の平面視扇状に水を噴射するものである。
【００１５】
各再利用水噴射ノズル４ｃは、上水道水噴射ノズル４ａ、４ｂのように上水道から水が供給されるものではなく、浴槽３内の排水口部５に接続流路７を介して連通して、浴槽３から湯水が供給されるものである。
【００１６】
排水口部５は通常の浴槽の排水口と同様に浴槽３内に溜めた湯水を排出するために利用されるものであり、前記接続流路７とは別に浴槽３内の湯水を外部に排出するための排水流路（図示せず）にも接続されている。
【００１７】
排水口部５には電磁弁からなる図示しない切替弁が設けられており、該切替弁で浴槽３内の湯水の流れを排水流路側に切り替えることにより、浴槽３内の湯水は排水流路を通じて外部に排出される。また、切替弁で浴槽３内の湯水の流れを接続流路７側へと切り替えることにより、浴槽３内の湯水が各再利用水噴射ノズル４ｃに供給されるようになっている。
【００１８】
接続流路７には、上流側から順に、フィルタ８、ポンプ９、ヒータ１０が設けられており、浴槽シャワー装置１は、既述のシャワーノズル４ａ〜４ｃや、シャワーノズル４ａ〜４ｃに湯水を供給する流路、フィルタ８、ポンプ９、ヒータ１０等により構成されている。
【００１９】
フィルタ８は接続流路７を流れる湯水に含まれる汚れを除去する。ポンプ９は接続流路７中の湯水を各再利用水噴射ノズル４ｃに供給し、浴槽３内に向けて噴射させる。ヒータ１０は接続流路７を流れる湯水を加熱する。
【００２０】
上記浴槽シャワー装置１を利用する場合は、例えば使用者が空の浴槽３に通常の入浴姿勢で入った状態で、上水道から各上水道水噴射ノズル４ａ、４ｂに上水道水を供給すると共に切替弁を既述のように接続流路７側に切り替え、これと同時又はこの後にポンプ９及びヒータ１０を動作させる。
【００２１】
上記により、各上水道水噴射ノズル４ａ、４ｂからは、上水道から供給されて給湯機で加熱された上水道水が浴槽３内の上部に向けて噴射される。また、各上水道水噴射ノズル４ａ、４ｂから浴槽３内に噴射された水は、浴槽３内から排水口部５を通じて接続流路７に供給され、この水がフィルタ８にて汚れが除去された後にヒータ１０にて加熱され、この後、ポンプ９の作用により各再利用水噴射ノズル４ｃから浴槽３内の下部に向けて噴射される。
【００２２】
したがって、浴槽３に居る使用者は、各上水道水噴射ノズル４ａ、４ｂから噴射された湯水を概ね上半身で受けると共に、各再利用水噴射ノズル４ｃから噴射された湯水を概ね下半身で受けて体を暖めることができる。
【００２３】
また、この場合、各上水道水噴射ノズル４ａからは湯水が水平で平面視扇状に噴射されるため、浴槽３の上部には各上水道水噴射ノズル４ａより噴射された湯水のカーテンができる。そして、このカーテン効果により、浴槽３内の保温効果を高めることができ、また、下方の上水道水噴射ノズル４ｂや再利用水噴射ノズル４ｃから噴射された水が洗い場１１側に飛び出すことを防止することができる。
【００２４】
また、本例の浴槽シャワー装置１にあっては、各上水道水噴射ノズル４ａ、４ｂから浴槽３内に噴射された湯水を排水口部５を介して接続流路７に供給し、これをフィルタ８にて除去すると共にヒータ１０にて加熱したうえで、各再利用水噴射ノズル４ｃから浴槽３内に噴射することができる。したがって、上水道水噴射ノズル４ａ、４ｂから噴射された新しい湯水を再利用すると共に再利用水噴射ノズル４ｃから噴射された水を循環させ、湯水の消費量を抑えることができる。
【００２５】
なお、上記浴槽シャワー装置１を利用してある程度時間が経過すると、浴槽３内には湯水が溜まり、上水道水噴射ノズル４ａ、４ｂから新たな湯水を供給しなくても、各再利用水噴射ノズル４ｃから湯水を噴射することが可能となる。したがって、水位センサー（例えば再利用水噴射ノズル４ｃよりも下方に設ける）にて浴槽３内の湯水の水位が所定レベルに達することを検知したり、所定時間、上水道水噴射ノズル４ａ、４ｂの噴射を行った場合等に、ポンプ９及びヒータ１０を運転したままで上水道水噴射ノズル４ａ、４ｂへの湯水の供給を停止又は低減するように設定しても良く、この場合は一層湯水の消費量を抑えることが可能となる。
【００２６】
なお、本実施形態では、上側の上水道水噴射ノズル４ａを扇型スプレーノズルで構成すると共に下側の上水道水噴射ノズル４ｂを充円錐型スプレーノズルとしたが、上下の上水道水噴射ノズル４ａ、４ｂ共に扇型スプレーノズルで構成しても良いし、充円錐型スプレーノズルで構成しても良い。また、再利用水噴射ノズル４ｃも扇型スプレーノズルで構成しても良いものとする。
【図面の簡単な説明】
【００２７】
【図１】本実施形態の一例の浴槽シャワー装置を模式的に示した側断面図である。
【図２】同上の浴槽シャワー装置を設けた浴室において湯水を噴射した状態を模式的に示した平面図である。
【符号の説明】
【００２８】
１  浴槽シャワー装置
３  浴槽
４  シャワーノズル
４ａ、４ｂ  上水道水噴射ノズル
４ｃ  再利用水噴射ノズル
５  排水口部
７  接続流路
８  フィルタ
１０  ヒータ
【図１】
2010075419.tif 000003
【図２】
2010075419.tif 000004